(57)【要約】【課題】  写真撮影スタジオ等に用いられる撮像システムにおいて、被写体等の情報を得て、画像処理を最適にすることにより、簡単に高画質画像を得るシステムを実現する。【解決手段】  被写体等に取り付けられた情報記録手段に書き込まれた情報を非接触で読み取り、読み取った情報に基づいて、画像処理を最適にすることにより、高画質画像を得る。【選択図】        図４
2006203514.tif 000002
【特許請求の範囲】
【請求項１】
被写体を撮影して画像データを取得する撮像手段と、前記撮像手段で取得された画像データに所定の処理を行う画像処理手段とを有する撮像システムにおいて、
被写体あるいは設備に関する情報を記録する情報記録手段と、
前記情報記録手段に書き込まれた情報を非接触で読み取り可能な非接触読み取り手段と、
前記非接触読み取り手段で読み取られた情報に基づいて、前記画像処理手段を制御する制御手段とを有することを特徴とする撮像システム。
【請求項２】
前記画像処理手段は、画像データに対してホワイトバランス処理及びソフトフィルタ処理のうち少なくとも一方の処理を行い、
前記制御手段は、前記非接触読み取り手段で読み取られた情報に基づいて、前記画像処理手段によるホワイトバランス処理及びソフトフィルタ処理のうち少なくとも一方の処理を制御することを特徴とする請求項１に記載の撮像システム。
【請求項３】
被写体を撮影して画像データを取得する撮像手段と、前記撮像手段で取得された画像データに所定の処理を行う画像処理手段とを有する撮像システムにおいて、
情報記録手段に書き込まれた情報を非接触で読み取り可能な非接触読み取り手段と、
前記非接触読み取り手段で読み取られた情報に基づいて、前記画像処理手段で行われる処理に対する警告を行う警告手段とを有することを特徴とする撮像システム。
【請求項４】
前記画像処理手段は、画像データに対してホワイトバランス処理及びソフトフィルタ処理のうち少なくとも一方の処理を行い、
前記警告手段は、前記非接触読み取り手段で読み取られた情報に基づいて、前記画像処理手段によるホワイトバランス処理及びソフトフィルタ処理のうち少なくとも一方の処理を警告することを特徴とする請求項３に記載の撮像システム。
【請求項５】
前記非接触読み取り手段で読み取られる情報は、被写体の色に関する情報であることを特徴とする請求項１乃至４の何れか１項に記載の撮像システム。
【請求項６】
前記非接触読み取り手段で読み取られる情報は、被写体に照射される光に関する情報であることを特徴とする請求項１乃至５の何れか１項に記載の撮像システム。
【請求項７】
前記非接触読み取り手段で読み取られる情報は、被写体の性別に関する情報であることを特徴とする請求項１乃至６の何れか１項に記載の撮像システム。
【請求項８】
前記情報記録手段は、パッシブ型のＩＣタグであり、
前記非接触読み取り手段は、前記撮像手段の光軸と同一方向の特定の範囲に対して電力波を送信することを特徴とする請求項１乃至７の何れか１項に記載の撮像システム。
【請求項９】
前記制御手段は、前記撮像手段で取得された画像データを解析して、被写体が変更されたと判断したときには、前記非接触読み取り手段に情報を読み取らせることを特徴とする請求項１乃至８の何れか１項に記載の撮像システム。
【請求項１０】
前記情報記録手段は、撮像時に被写体となる衣装、スクリーン及びアクセサリから選ばれる少なくとも１つの小道具類に装着されていることを特徴とする請求項１乃至９の何れか１項に記載の撮像システム。
【請求項１１】
前記情報記録手段は、撮像持に使用される照明装置及び反射装置から選ばれる少なくとも１つの撮影器具に装着されていることを特徴とする請求項１乃至９の何れか１項に記載の撮像システム。
【請求項１２】
請求項１乃至１１の何れか１項に記載の撮像システムを有することを特徴とする写真撮影スタジオ。
【請求項１３】
撮像システムの制御方法において、
被写体を撮影して画像データを取得する撮像工程と、
情報記録手段に書き込まれた情報を非接触で読み取る非接触読み取り工程と、
前記非接触読み取り工程で読み取られた情報に基づいて、前記撮像工程で取得された画像データに対して所定の処理を行う画像処理工程とを含むことを特徴とする撮像システムの制御方法。
【発明の詳細な説明】
【技術分野】
【０００１】
本発明は、撮像システム、写真撮影スタジオ、撮像システムの制御方法に関する。より詳しくは、非接触で読みとり可能な情報記録手段と情報獲得手段を有する撮像システム、写真撮影スタジオ、撮像システムに関する。
【背景技術】
【０００２】
写真スタジオや写真館などでカメラマンを使って行う写真撮影は、生き生きとした表情の美しい仕上がりのポートレート写真を得る方法の１つである。
【０００３】
このようなスタジオで行われる人物撮影においては、あらかじめスタジオに用意してある衣装、アクセサリや椅子等の小道具の中から被写体に合う組み合わせを選択し、さらに被写体に合わせて背景となるスクリーンや照明を設定して撮影が行われる。被写体に合わせて撮影条件を設定することは、美しい仕上がりの写真を得る上で大変重要な要素であり、効率よく設定して撮影を行う技術が提案されている。
【０００４】
たとえば、スタジオでの撮影の際、多数のライティング条件で撮影した画像をライティング条件とともにサンプル画像として記録しておき、撮影時に撮影者が記録されたサンプル画像をワイヤレス送受信機で読み出し、該ワイヤレス送受信機の表示部に表示されたサンプル画像に基づいて被写体に適したライティングを選択する技術が開示されている。（たとえば特許文献１参照）
【特許文献１】特開平１１−２４１３８号公報
【発明の開示】
【発明が解決しようとする課題】
【０００５】
しかしながら、前述した被写体となる人物の人数、性別、年齢と衣装、小道具の組み合わせは無数にあるので、特許文献１のようにサンプル画像をすべて用意することは難しい。また、サンプル画像を多数用意したとしても、撮影時に被写体に応じたライティングパターンを多数のサンプル画像の中から選択するのは困難である。
【０００６】
さらに、近年、撮影にはデジタルカメラを利用するようになっており、撮影に際し被写体ごとにホワイトバランス調整やソフトフィルタのレベル調整などが必要になってきた。たとえば、白い衣装に真っ赤な背景の組み合わせでは、背景からの赤い反射光の影響で白い衣装が赤味がかって写ってしまうので、デジタルカメラのホワイトバランス調整により補正する必要がある。また、特に女の子の撮影では肌をきれいに見せるために、ソフトフィルタを適度なレベルに設定するなど、美しい仕上がりのポートレート写真を得るために、被写体に合わせた設定が必要である。
【０００７】
このように被写体に合わせた設定項目が多く、カメラマンはこのような設定を被写体が変わるたびに行う必要がある。しかしながら、現状はデジタルカメラの撮影に慣れていないカメラマンが多く、被写体の条件を考慮しながら最適な設定を行うのに大変時間がかかっている。また、熟練したカメラマンであっても、特に顧客が多いときなどは設定を間違えることがあり再度撮影するなど効率が悪かった。
【０００８】
本発明は、上記課題に鑑みてなされたものであって、写真スタジオや写真館における写真撮影を行う際に、被写体の条件に応じてライティング条件や画像処理の設定を適宜変更しながら撮影を行うことが可能な撮影システムを提供することを目的とする。
【０００９】
また、本発明はたとえば七五三や卒業シーズンの様に被写体となるお客さんが集中する様な状態でも、個々の写真に対して表情の生き生きとした美しい仕上がりの人物写真が得られる様な撮影条件を、効率よく個々に設定することを目的にする。
【課題を解決するための手段】
【００１０】
本発明の目的は、下記構成により達成することができる。
【００１１】
（請求項１）
被写体を撮影して画像データを取得する撮像手段と、前記撮像手段で取得された画像データに所定の処理を行う画像処理手段とを有する撮像システムにおいて、
被写体あるいは設備に関する情報を記録する情報記録手段と、
前記情報記録手段に書き込まれた情報を非接触で読み取り可能な非接触読み取り手段と、
前記非接触読み取り手段で読み取られた情報に基づいて、前記画像処理手段を制御する制御手段とを有することを特徴とする撮像システム。
【００１２】
（請求項２）
前記画像処理手段は、画像データに対してホワイトバランス処理及びソフトフィルタ処理のうち少なくとも一方の処理を行い、
前記制御手段は、前記非接触読み取り手段で読み取られた情報に基づいて、前記画像処理手段によるホワイトバランス処理及びソフトフィルタ処理のうち少なくとも一方の処理を制御することを特徴とする請求項１に記載の撮像システム。
【００１３】
（請求項３）
被写体を撮影して画像データを取得する撮像手段と、前記撮像手段で取得された画像データに所定の処理を行う画像処理手段とを有する撮像システムにおいて、
情報記録手段に書き込まれた情報を非接触で読み取り可能な非接触読み取り手段と、
前記非接触読み取り手段で読み取られた情報に基づいて、前記画像処理手段で行われる処理に対する警告を行う警告手段とを有することを特徴とする撮像システム。
【００１４】
（請求項４）
前記画像処理手段は、画像データに対してホワイトバランス処理及びソフトフィルタ処理のうち少なくとも一方の処理を行い、
前記警告手段は、前記非接触読み取り手段で読み取られた情報に基づいて、前記画像処理手段によるホワイトバランス処理及びソフトフィルタ処理のうち少なくとも一方の処理を警告することを特徴とする請求項３に記載の撮像システム。
【００１５】
（請求項５）
前記非接触読み取り手段で読み取られる情報は、被写体の色に関する情報であることを特徴とする請求項１乃至４の何れか１項に記載の撮像システム。
【００１６】
（請求項６）
前記非接触読み取り手段で読み取られる情報は、被写体に照射される光に関する情報であることを特徴とする請求項１乃至５の何れか１項に記載の撮像システム。
【００１７】
（請求項７）
前記非接触読み取り手段で読み取られる情報は、被写体の性別に関する情報であることを特徴とする請求項１乃至６の何れか１項に記載の撮像システム。
【００１８】
（請求項８）
前記情報記録手段は、パッシブ型のＩＣタグであり、
前記非接触読み取り手段は、前記撮像手段の光軸と同一方向の特定の範囲に対して電力波を送信することを特徴とする請求項１乃至７の何れか１項に記載の撮像システム。
【００１９】
（請求項９）
前記制御手段は、前記撮像手段で取得された画像データを解析して、被写体が変更されたと判断したときには、前記非接触読み取り手段に情報を読み取らせることを特徴とする請求項１乃至８の何れか１項に記載の撮像システム。
【００２０】
（請求項１０）
前記情報記録手段は、撮像時に被写体となる衣装、スクリーン及びアクセサリから選ばれる少なくとも１つの小道具類に装着されていることを特徴とする請求項１乃至９の何れか１項に記載の撮像システム。
【００２１】
（請求項１１）
前記情報記録手段は、撮像持に使用される照明装置及び反射装置から選ばれる少なくとも１つの撮影器具に装着されていることを特徴とする請求項１乃至９の何れか１項に記載の撮像システム。
【００２２】
（請求項１２）
請求項１乃至１１の何れか１項に記載の撮像システムを有することを特徴とする写真撮影スタジオ。
【００２３】
（請求項１３）
撮像システムの制御方法において、
被写体を撮影して画像データを取得する撮像工程と、
情報記録手段に書き込まれた情報を非接触で読み取る非接触読み取り工程と、
前記非接触読み取り工程で読み取られた情報に基づいて、前記撮像工程で取得された画像データに対して所定の処理を行う画像処理工程とを含むことを特徴とする撮像システムの制御方法。
【発明の効果】
【００２４】
請求項１乃至１１または１３に記載の発明によれば、撮影時に被写体個々の撮影に関する情報を非接触読み取り手段で得て、自動的に補正するので、被写体の条件に応じてライティング条件や画像処理の設定を適宜変更しながら撮影を行うことが可能であり、個々の写真に対して表情の生き生きとした美しい仕上がりの人物写真が得られる様な撮影条件を、効率よく設定することができる。したがって、短時間で高品位の撮影ができ、カメラマンに特別な撮影技術がなくても高画質な撮影が可能な撮像システムを提供できる。
【００２５】
請求項１２に記載の発明によれば、顧客の待ち時間が少なく、高画質な写真プリントを安価に提供できる写真撮影スタジオを提供できる。
【発明を実施するための最良の形態】
【００２６】
以下、図面に基づき本発明の実施の形態を説明する。
【００２７】
最初に、一般的な写真撮影スタジオ１での撮影について説明する。図１は、一般的な写真撮影スタジオにおける撮影状態を示す外観イメージ図である。写真撮影スタジオ１では、被写体に対して撮影意図に応じた最適なライティング状態を設定した後、撮像手段であるカメラに同期してストロボライトを閃光させて撮影を行う。
【００２８】
写真撮影スタジオ１には、図１に示す様に被写体Ｈの周囲に照明手段である各種ライト１１（１１ａ〜１１ｄ）が配置されている。
【００２９】
写真撮影に使用される具体的なライトとしては、図示しないフロントライト、メインライト１１ａ、図示しないバックグラウンドライト、アクセントライト１１ｂ、トップライト１１ｃ、スカイライト１１ｄ等の照明装置があげられる。また、図１の写真撮影スタジオ１は後方に背景となるロールスクリーン１２を有するもので、ロールスクリーン１２は被写体に合わせて選択し、適切な背景になるように上下方向に垂下する。
【００３０】
図１の写真撮影スタジオ１における撮影にあたって、被写体である人物は写真撮影スタジオ１にあらかじめ用意された衣装１３やアクセサリ等の小道具１４を選択して着用する。図示しない椅子等の小道具も写真撮影スタジオ１にあらかじめ用意されており、好みや撮影意図に合わせて配置する。ロールスクリーン１２もたとえば女の子の場合は赤い花柄の背景など、人物の年齢、性別に合わせて、好みに合わせて選択する。
【００３１】
撮影はロールスクリーン１２を背景にして上述したライトの位置や各々の出力（調光）を変えて被写体Ｈを撮影する。各種ライト１１は撮影意図に応じて適切なものを選択して撮影に使用することが一般的である。また、これらのライトにストロボ発光用のランプを設け、ストロボライトとしての使用も可能である。
【００３２】
写真撮影スタジオ１では、被写体Ｈに対して最適なライティング状態を形成してから、カメラマン等の撮影者がカメラを操作して又は自動的に撮影を行うもので、図示しないカメラの撮像動作と同期してストロボライトが閃光し、被写体Ｈの撮影が行われる。
【００３３】
次に、本発明に係る撮像システムについて説明する。図２は本発明に係る撮像システムが適用された写真撮影スタジオ１のブロック図である。
【００３４】
図２の写真撮影スタジオ１には、ライティングを行う照明装置の一例としてメインライト２５Ａとトップライト２５Ｂ、バックグラウンドライト２５Ｃが配置されている。これらのライトは、照明用のライトとしての機能に加えてストロボ発光用のライトの機能を有するものである。メインライト２５Ａ、トップライト２５Ｂ及びバックグラウンドライト２５Ｃからなるストロボライト２５はストロボ電源２７から電源を供給されている。
照明ライト２８は補助照明用のライトであり、被写体状況により必要に応じて配置される。電源装置２９は照明ライト２８用の電源である。
【００３５】
被写体Ｈを撮像する撮像手段であるデジタルカメラ２１、非接触読み取り手段である被写体用非接触読み取り装置２２、設備用非接触読み取り装置２３、表示装置兼入力装置４１、レリーズボタン３０及びストロボ電源２７は、制御手段であるスタジオ制御装置４０（コンピュータ）に接続されており、撮影者は表示装置兼入力装置４１に表示されるライブビュー画像を見て、適切なタイミングでレリーズボタン３０を押して撮影する。撮影時のストロボライト２５の発光量の制御はスタジオ制御装置４０（コンピュータ）が行っている。
【００３６】
デジタルカメラ２１に取り付けられた被写体用非接触読み取り装置２２と、被写体用非接触読み取り装置２２とは別の位置に配置された設備用非接触読み取り装置２３は、たとえばＩＣタグやＩＣカードのような情報記録手段から、非接触で情報を読み取る装置である。ＩＣタグやＩＣカードはＩＣチップで構成され、ＩＣ内部に持つ記録媒体の情報を被写体用非接触読み取り装置２２または設備用非接触読み取り装置２３により電波で情報を読み出すことができる。以下、ＩＣタグを用いた例を説明するが、ＩＣカードなど他の情報記録手段であってもよい。
【００３７】
ＩＣタグには、被写体用非接触読み取り装置２２が発信する電力波を受信して、該電波から得た電力により、ＩＣ内の記録媒体の情報を読み出して発信するパッシブ方式と、ＩＣタグが電源を持ち常時記録された情報を電波で発信するアクティブ方式とがある。設備用非接触読み取り装置２３は、主にアクティブ方式の設備用ＩＣタグ６２の電波を受信し、情報を読み取る非接触読み取り手段である。アクティブ方式の場合、遠距離まで到達できる電波を発信できるが、内蔵する電池の交換が必要であり、メインテナンスが面倒である。一方、パッシブ方式の被写体用ＩＣタグ６１は電波の到達距離はアクティブ方式より短いが、受信した電波から電力を得て動作するので電源が不要であり、電池切れ等の不具合が発生するおそれがない。
【００３８】
パッシブ方式には上記のようなメインテナンス上の利点があるので、デジタルカメラ２１と一体の被写体用非接触読み取り装置２２から近い距離にある被写体Ｈが着用する衣装１３やアクセサリ等の小道具１４には、パッシブ方式の被写体用ＩＣタグ６１をそれぞれ取り付けている。また、ロールスクリーン１２、ストロボライト２５、照明ライト２８などは被写体用非接触読み取り装置２２からの距離が遠く、パッシブ方式のＩＣタグでは電波到達範囲外になるので、アクティブ方式の設備用ＩＣタグ６２を取り付けている。図３に、衣装１３や小道具１４にパッシブ方式の被写体用ＩＣタグ６１を、ロールスクリーン１２にアクティブ方式の設備用ＩＣタグ６２を取り付けた例を示す。
【００３９】
衣装１３やアクセサリ等の小道具１４に取り付ける被写体用ＩＣタグ６１には、あらかじめ色に関する情報や性別や年齢に関する情報が記録されている。たとえば、衣装１３には女性の子供向けという情報と、衣装１３を撮影する際に赤補正、青補正、緑補正の何れかが必要かどうかの情報が、衣装の色に関する情報として記録されている。たとえば真っ赤な衣装の場合、撮影時にＲのゲインを下げ、Ｂのゲインを上げる補正が必要であり、これを赤補正と呼ぶ。同様に真っ青な衣装の場合は青補正、真緑の衣装の場合は緑補正と呼ぶ。
【００４０】
そのほか、衣装１３を着用する直前に着用する人物の肌色の色情報を測定し、被写体用ＩＣタグ６１にＨＳＶ（Ｈｕｅ：色相、Ｓａｔｕｒａｔｉｏｎ  Ｖａｌｕｅ：彩度、Ｖａｌｕｅ：輝度）やＹＵＶなどの色空間で数値化して記録することも可能である。
【００４１】
また、小道具１４にも衣装１３と同様に、たとえば３〜７歳が対象年齢であり、男女不問であること、また小道具１４を撮影する際に赤補正、青補正、緑補正の要否に関する情報が、小道具の色に関する情報として記録されている。また、アクセサリ等、金属部などが正反射するおそれのある場合は、その情報も記録されている。
【００４２】
ロールスクリーン１２、ストロボライト２５、照明ライト２８に取り付けられる設備用ＩＣタグ６２には被写体に照射される光に関する情報が記録されている。たとえば、ロールスクリーン１２には同様に色の情報と反射率等に関する情報が記録されている。また、ストロボライト２５、照明ライト２８には照明の種類、赤補正、青補正、緑補正の要否等の情報が記録されている。
【００４３】
さて、このように衣装１３や小道具１４にはあらかじめ被写体用ＩＣタグ６１が取り付けられているので、撮影対象ではない他の衣装１３や小道具１４に取り付けられた被写体用ＩＣタグ６１の情報を誤って読み出さないようにする必要がある。そのため、デジタルカメラ２１に取り付けられた被写体用非接触読み取り装置２２が電力波を発信する範囲は、デジタルカメラ２１の撮影可能範囲に略一致するように設定されており、デジタルカメラ２１の撮影対象に取り付けたパッシブ方式の被写体用ＩＣタグ６１から応答される電波を受信し、記録された情報を取得できるように構成されている。このようにすることにより、撮影範囲外の被写体用ＩＣタグ６１の情報を誤って読み出すことがない。
【００４４】
なお、設備用非接触読み取り装置２３は主に、スタジオ１内に配置されたロールスクリーン１２、ストロボライト２５、照明ライト２８に取り付けられる設備用ＩＣタグ６２が発信する電波を受信できるようになっている。
【００４５】
図２に示したデジタルカメラ２１及びスタジオ制御装置４０の内部構成を、図４を用いて説明する。
【００４６】
デジタルカメラ２１は、撮影光学系３、ＣＣＤ５、ＡＤ変換部５１、画像メモリ５３、メインマイコン部７等を有する。
【００４７】
撮影光学系３は主として、レンズ群３２、絞り３３等から構成される。レンズ群３２はズームレンズとして構成され、レンズ群３２の配置を変更することにより、焦点距離（撮像倍率）を変更可能としている。レンズ群３２はズーム、フォーカス駆動部３３２により駆動され、焦点距離と焦点が変更される。絞り３３は絞り駆動部３３１により駆動され、適切な絞りに変更される。
【００４８】
レンズ群３２と絞り３３を通った光束は、撮像素子の一例であるＣＣＤ（電荷結合素子）５上に結像するように配置されている。なお、本発明において撮像素子は、ＣＣＤに代えて、ＣＭＯＳセンサ、ＣＩＤセンサ等の固体撮像素子であってもよい。
【００４９】
ＣＣＤ５は、カラーフィルタがそれぞれ付された微細な画素群で構成される撮像素子であり、撮影光学系３によって結像される被写体の光像（被写体像）を、たとえばＲＧＢの色成分を有する画像信号に光電変換する。ＣＣＤ５の受光面は結像平面と一致するように配置され、イメージサークルを含む結像平面の一部の領域が画像データ（本明細書中では、適宜単に「画像」ともいう。）として取得されることとなる。
【００５０】
メインマイコン部７は、マイクロコンピュータを備えて構成される。すなわち、メインマイコン部７は、各種演算処理を行うＣＰＵ７０と、演算を行うための作業領域となるＲＡＭ７５と、制御プログラム等が記憶されるＲＯＭ７６とを備え、デジタルカメラ１の各処理部の動作を統括的に制御する。不揮発性メモリであるＲＯＭ７６としては、たとえば、データの電気的な書き換えが可能なＥＥＰＲＯＭが採用される。これにより、ＲＯＭ７６は、データの書き換えが可能で、かつ、電源を落とした場合でもそのデータの内容を保持する。
【００５１】
メインマイコン部７は、自動合焦制御部（ＡＦ制御部）７１、自動露出制御部（ＡＥ制御部）７２などの各種の制御機能を有する。メインマイコン部７はスタジオ制御装置４０との通信機能を持ち、各種機能はスタジオ制御装置４０からの制御指令を受けて、ＣＰＵ７０があらかじめＲＯＭ７６内に記憶される制御プログラムに従って演算処理を行うことにより実現される。
【００５２】
ＡＦ制御部７１は、合焦用評価値を用いて撮影レンズ３の焦点位置を調整することによって自動合焦制御を実現する。
【００５３】
撮影レンズ３は、ズーム・フォーカス駆動部３３２及び絞り駆動部３３１を備えている。ズーム・フォーカス駆動部３３２は、ユーザにより設定される焦点距離となるように、また、焦点が合うように（フォーカシング）レンズ群３２に含まれるレンズを適宜光軸方向に駆動するものである。
【００５４】
また、ＡＥ制御部７２は、画像を複数のブロックに分割し、各ブロックの代表輝度値に基づいてＡＥ用評価値を算出する。このＡＥ用評価値を用いて自動露出制御が実現される。
【００５５】
絞り駆動部３３１は、ＡＥ制御部７２により設定される絞り値となるように絞り３３の開口径を調整するものである。ズーム・フォーカス駆動部３３２及び絞り駆動部３３１も電気的にメインマイコン部７に接続され、メインマイコン部７の制御下にて動作する。
【００５６】
ＡＦ制御部７１とＡＥ制御部７２は自動制御の機能の他に、スタジオ制御装置４０からの制御指令を受けてマニュアル調整の機能も持ち、スタジオ制御装置４０からの制御で切り替えることができる。
【００５７】
Ａ／Ｄ変換部５１、画像メモリ５３は、ＣＣＤ５にて取得された画像を扱う処理部を示している。すなわち、ＣＣＤ５にて取得されたアナログ信号の画像は、Ａ／Ｄ変換部５１にてデジタル信号に変換され、画像メモリ５３に一時的に格納される。ライブビュー時においては、メインマイコン部７が、格納された画像データを表示に適した画素数に間引いて、スタジオ制御装置４０に順次送信する。なお、撮影時の画像データは、ＣＣＤ５から出力された画像データをすべて送信する。
【００５８】
制御手段として機能するスタジオ制御装置４０には表示装置兼入力装置４１、被写体用非接触読み取り装置２２、設備用非接触読み取り装置２３、レリーズボタン３０、ストロボ電源２７、デジタルカメラ２１が接続されている。
【００５９】
表示装置兼入力装置４１は、たとえばモニタ画面上にタッチパネルが取り付けられたタッチパネル式モニタがあげられる。ここではタッチパネル式モニタを用いた例を説明するが、本発明は表示装置と入力装置が一体になったものに限られるものではない。表示装置兼入力装置４１の表示部はデジタルカメラ２１からのライブビュー画像、撮影画像ともに表示できるようになっている。表示装置兼入力装置４１は撮影の際にライブビュー画像を見ながら、タッチパネルを押してデジタルカメラ２１の各種設定を行うこともできる。たとえばズームやフォーカスの調整やホワイトバランスの調整、ソフトフィルタの調整などである。これらの制御信号はスタジオ制御装置４０からデジタルカメラ２１のメインマイコン部７に送られるようになっている。また、表示装置兼入力装置４１には撮影に関する警告を表示することができる。
【００６０】
被写体用非接触読み取り装置２２、設備用非接触読み取り装置２３はスタジオ制御装置４０からの指令により、被写体用ＩＣタグ６１、設備用ＩＣタグ６２から情報を読み取って、スタジオ制御装置４０に情報のデータを伝送する。
【００６１】
レリーズボタン３０は撮影者が撮影のタイミングを指示するボタンであり、レリーズボタンを押すとスタジオ制御装置４０はデジタルカメラ２１に撮影の指令を送信するなどの所定の処理を行う。
【００６２】
ストロボ電源２７はスタジオ制御装置４０からの発光指令により、所定の発光量とタイミングでストロボライト２５を発光させる。
【００６３】
次に、スタジオ制御装置４０の内部構成について説明する。
【００６４】
スタジオ制御装置４０は各種演算処理を行うＣＰＵ４２と、演算を行うための作業領域となるＲＡＭ４５と、制御プログラムと各種データが記憶されるＨＤＤ４６とを備え、デジタルカメラ２１、ストロボ電源２７を統括的に制御する。不揮発性メモリであるＲＯＭ７６としては、たとえば、データの電気的な書き換えが可能なＥＥＰＲＯＭが採用される。また、スタジオ制御装置４０は、ＣＤ−ＲドライブやＤＶＤ−Ｒドライブのような大容量記憶再生装置４７を備えている。
【００６５】
次に、ＣＰＵ４２の機能について説明する。ＣＰＵ４２は、デジタルカメラ２１の制御や画像処理部４３、発光制御部４４などの各種の制御機能を持っている。
【００６６】
最初に、画像処理部４３の有するホワイトバランス処理機能について説明する。
【００６７】
画像処理部４３は、撮像手段であるデジタルカメラ２１から送信された画像データをＲ、Ｇ、Ｂ面順次の画像データに変換した後、ＲＡＭ４５に一時記憶し、ホワイトバランス処理を行う。ホワイトバランス処理は、ＲＡＭ４５に一時記憶されたＲ、Ｇ、Ｂの画像データのそれぞれの平均値が一定になるような係数を求め、一時記憶されたＲ、Ｇ、Ｂの各画素データに求めた係数をかけ算する。その結果得られた画像データはＲＡＭ４５の別の領域に一時記憶される。該画像データはスタジオ制御装置４０から表示装置兼入力装置４１に表示される。
【００６８】
画像処理部４３の行うソフトフィルタ処理は、たとえばコンボリュージョン演算のように、順次に画素の周囲の画素を含めて９画素を重み係数をかけて平均値を求める方法により実現できる。画像処理部４３はＲＡＭ４５に一時記憶された画像データに、あらかじめ設定された係数で演算し、結果の画像は画像メモリ５３にＲＡＭ４５に一時記憶する。
【００６９】
発光制御部４４は、ストロボ電源２７に接続されているストロボライト２５の発光量と発光のタイミングを制御する。
【００７０】
図５は、図２及び図４に示したスタジオ制御装置４０における被写体情報を用いた撮影の流れを示すフローチャートである。ここでは、１回の撮影について説明しているが、連続して撮影する場合も同様である。
【００７１】
スタジオ制御装置４０の電源をＯＮにすると、スタジオ制御装置４０は各部の初期化を行う（ステップＳ２００）。
【００７２】
スタジオ制御装置４０はデジタルカメラ２１から伝送される画像データを取得して、表示装置兼入力装置４１にライブビュー画像を表示する。（ステップＳ２０１）
次に、撮影者は被写体に合わせてズーム、フォーカス、絞り設定を行う。設定はデジタルカメラの自動設定機能を用いてもよいし、表示装置兼入力装置４１を見ながら撮影者が設定してもよい（ステップＳ２０２）。
【００７３】
次に、スタジオ制御装置４０はＲＡＭ４５に前回記憶したデジタルカメラ２１からの画像と今回の取得したの画像を比較し（ステップＳ２０３）、所定の評価値を超えるかどうか判定する（ステップＳ２０４）。
【００７４】
所定の評価値を超える場合、被写体が変わったと判定し（ステップＳ２０４；Ｙｅｓ）、ステップＳ２０５からステップＳ２０８に至る処理が実行される。
【００７５】
スタジオ制御装置４０は、被写体用非接触読み取り装置２２、設備用非接触読み取り装置２３に被写体用ＩＣタグ６１、設備用ＩＣタグ６２からの情報読みとりを指令し、被写体用非接触読み取り装置２２、設備用非接触読み取り装置２３が読み取った情報を、被写体情報としてＲＡＭ４５に記憶する。（ステップＳ２０５）なお、初期状態ではＲＡＭ４５にデジタルカメラ２１からの画像は記憶されていないので、被写体が変わったと判断して処理が行われる。
【００７６】
ステップＳ２０５で得られたＲＡＭ４５に記憶された被写体と被写体に照射される光に関する情報から、スタジオ制御装置４０はストロボライト２５の発光量を設定する。スタジオ制御装置４０は被写体状況に合わせて自動的に設定するか、または、表示装置兼入力装置４１に警告を表示する（ステップＳ２０６）。
【００７７】
ステップＳ２０６におけるスタジオ制御装置４０の制御内容の一例を表１と表２に示す。
表１、表２の記号Ｙは真を、Ｎは偽を表す。またスタジオ制御装置４０の制御は×の記された制御が実行され、−の記された制御は実行されないことを表す。記号については以下の各表において同符号を用いる。
【００７８】
一例として表１のケース２について説明する。ケース２では被写体が男性でロールスクリーンの反射率が高く、アクセントライト有りなので、スタジオ制御装置４０はストロボライトの発光量を１０％減にする制御を行うか、または、表示装置兼入力装置４１に警告を表示する。
【００７９】
【表１】
2006203514.tif 000003
【００８０】
【表２】
2006203514.tif 000004
【００８１】
次に、ステップＳ２０５でＲＡＭ４５に記憶された被写体の色に関する情報と、被写体に照射される光に関する情報から、画像処理部４３で行うホワイトバランスの係数を自動的に設定を行うか、または、表示装置兼入力装置４１に警告を表示する（ステップＳ２０７）。
【００８２】
ステップＳ２０７におけるスタジオ制御装置４０の制御内容の一例を表３に示す。
【００８３】
一例として表２のケース２について説明する。ケース２では衣装のみが要赤補正なので、スタジオ制御装置４０はＲのゲインを１０％下げ、Ｂのゲインを１０％上げる制御を行うか、または、表示装置兼入力装置４１に警告を表示する。
【００８４】
【表３】
2006203514.tif 000005
【００８５】
同様に、被写体の性別や年齢に関する情報から、画像処理部４３で行うソフトフィルタの係数を自動的に設定を行うか、または、表示装置兼入力装置４１に警告を表示する（ステップＳ２０８）。
【００８６】
ステップＳ２０８におけるスタジオ制御装置４０の制御内容の一例を表３に示す。
【００８７】
一例として表３のケース６について説明する。ケース６では被写体が女性で中高年なので、スタジオ制御装置４０はソフトフィルタを強にする設定を行うか、または、表示装置兼入力装置４１に警告を表示する。
【００８８】
【表４】
2006203514.tif 000006
【００８９】
所定の評価値を超えない場合、被写体が同じと判定し（ステップＳ２０４；Ｎｏ）、ステップＳ２０９からの処理が実行される。
【００９０】
次に今回の取得した画像をＲＡＭ４５に記憶する。（ステップＳ２０９）
シャッターボタンが押されなかった場合（ステップＳ２１０；Ｎｏ）、ステップＳ２０２に戻って以降の処理が実行される。
【００９１】
シャッターボタンが押された場合（ステップＳ２１０；Ｙｅｓ）、ステップＳ２１０からステップＳ２１２の処理が実行される。すなわち、スタジオ制御装置４０は撮影の指令をデジタルカメラ２１に、ステップＳ２０６で設定された発光量の発光指令をストロボ電源２７に送信し、撮影画像を取得する（ステップＳ２１１）。
【００９２】
画像処理部４３は、ステップＳ２０７、ステップＳ２０８で設定された係数でホワイトバランス処理やソフトフィルタ処理などの画像処理を行い（ステップＳ２１２）、画像処理後の画像をＨＤＤ４６に記録する（ステップＳ２１３）。
【００９３】
以上のように本実施の形態によれば、撮像システムが被写体に関する情報を簡単に入手して、自動的に補正または自動的に補正の警告を表示するので、短時間で撮影ができ、カメラマンに特別な撮影技術がなくても高画質な撮影が可能な撮像システムを提供できる。
【００９４】
また、このような撮像システムを利用すれば、顧客の待ち時間が少なく、高画質な写真プリントを安価に提供できる写真撮影スタジオを提供できる。
【図面の簡単な説明】
【００９５】
【図１】本発明に係る写真撮影スタジオのイメージ図である。
【図２】本発明に係る写真撮影スタジオのブロック図である。
【図３】本発明に係る写真撮影スタジオで使われる設備や備品である。
【図４】本発明に係る撮像システムのブロック図である。
【図５】本発明に係る撮影のフローチャートである。
【符号の説明】
【００９６】
１  写真撮影スタジオ
２  撮像システム
３  撮影光学系
５  ＣＣＤ
２１  デジタルカメラ
２２  被写体用非接触読み取り装置
２３  設備用非接触読み取り装置
４０  スタジオ制御装置
６１  被写体用ＩＣタグ
６２  設備用用ＩＣタグ
【図１】
2006203514.tif 000007
【図２】
2006203514.tif 000008
【図３】
2006203514.tif 000009
【図４】
2006203514.tif 000010
【図５】
2006203514.tif 000011